【手続補正書】
【提出日】平成30年3月16日(2018.3.16)
【手続補正１】
【補正対象書類名】特許請求の範囲
【補正対象項目名】全文
【補正方法】変更
【補正の内容】
【特許請求の範囲】
【請求項１】
コンピュータ化されたクライアント装置であって、
サービス・プロバイダ・ネットワークと通信するように構成されたネットワーク・インターフェースと、
ユーザ・インターフェースと、
前記ネットワーク・インターフェース及び前記ユーザ・インターフェースとデータ通信するデジタル・プロセッサ装置と、
前記デジタル・プロセッサ装置とデータ通信する記憶装置であって、前記デジタル・プロセッサ装置上で実行されると、
受信する第２の時点の所定の近傍内の第１の時点に生成されたライブにデジタル的にレンダリングされたメディア・ストリームに関連付けられたネットワーク・データ構造を受信し、
前記ネットワーク・データ構造に少なくとも部分的に基づいてサービス・プロバイダから複数のコンテンツ部分のうちの少なくとも、第１の解像度によるデジタル的にレンダリングされた映像コンテンツを含む第１の部分と、第２の解像度によるデジタル的にレンダリングされた映像コンテンツを含む第２の部分をダウンロードし、
ローカル・データ構造を生成し、
前記複数のコンテンツ部分の前記第２の部分のみを、当該コンピュータ化されたクライアント装置とデータ通信する記憶装置内の第１の対応する場所に記憶し、
前記複数のコンテンツ部分の置き換え部分のために前記ネットワーク・データ構造を
参照し、
前記置き換え部分を前記記憶装置内の第２の対応する場所に記憶し、
前記ローカル・データ構造を、前記複数のコンテンツ部分のうちの前記記憶された第２の部分及び前記記憶された置き換え部分の場所に対応するデータで更新し、
前記ローカル・データ構造を、前記ライブ・メディア・ストリームの再生のための少なくとも１つの正当な地理的位置を含むデジタル著作権管理（ＤＲＭ）情報で暗号化し符号化する、
よう構成された少なくとも１つのコンピュータ・プログラムを含む、記憶装置と、
を備える、コンピュータ化されたクライアント装置。
【請求項２】
前記ネットワーク・データ構造は、１つ又は複数のメタデータ要素と、前記複数のコンテンツ部分の前記第１の部分及び前記第２の部分をダウンロードすることができる場所のリストとを含むストリームマニフェストを含む、請求項１に記載のコンピュータ化されたクライアント装置。
【請求項３】
前記複数のコンテンツ部分の前記第１の部分及び前記第２の部分は、前記１つ又は複数のメタデータ要素に少なくとも部分的に基づいて決定される場所の前記リストのサブセットからダウンロードされる、請求項２に記載のコンピュータ化されたクライアント装置。
【請求項４】
前記複数のコンテンツ部分のうちの少なくとも前記第１の部分がデジタル的にレンダリングされた映像コンテンツを含み、前記複数のコンテンツ部分のうちの少なくとも第２の部分がデジタル的にレンダリングされた二次コンテンツを含む、請求項１に記載のコンピュータ化されたクライアント装置。
【請求項５】
前記複数のコンテンツ部分のうちの少なくとも前記第１の部分が、第１のアクセス制御制限を有するデジタル的にレンダリングされた映像コンテンツを含み、前記複数のコンテンツ部分のうちの少なくとも前記第２の部分が、第２のアクセス制御制限を有するコンテンツを含む、請求項１に記載のコンピュータ化されたクライアント装置。
【請求項６】
コンピュータ化されたクライアント装置であって、
サービス・プロバイダ・ネットワークと通信するように構成されたネットワーク・インターフェースと、
ユーザ・インターフェースと、
前記ネットワーク・インターフェース及び前記ユーザ・インターフェースとデータ通信するデジタル・プロセッサ装置と、
前記デジタル・プロセッサ装置とデータ通信するディスプレイ装置と、
前記デジタル・プロセッサ装置とデータ通信する記憶装置であって、前記デジタル・プロセッサ装置上で実行されると、
デジタル・メディア・ストリームに関連付けられたローカル・ストリーム・マニフェストを取り出し、
前記ローカル・ストリーム・マニフェストに少なくとも部分的に基づいて、記憶デバイスから１つ又は複数のコンテンツの塊を取り出し、
前記ローカル・ストリーム・マニフェストに基づいて、取り出された前記１つ又は複数のコンテンツの塊から前記デジタル・メディア・ストリームを再構築し、
前記デジタル・メディア・ストリームの、当該コンピュータ化されたクライアント装置に関連付けられた１つ又は複数のユーザ選好に関するデータに少なくとも部分的に基づいてパーソナライズされている仮想チャネルの一部として前記デジタル・メディア・ストリームの表示を含む表示を、前記ディスプレイ装置を介して発生させる、
よう構成された少なくとも１つのコンピュータ・プログラムを含む、記憶装置と、
を備える、コンピュータ化されたクライアント装置。
【請求項７】
前記ローカル・ストリーム・マニフェストは、１つ又は複数のメタデータ要素と、前記１つ又は複数のコンテンツの塊が、当該コンピュータ化されたクライアント装置に配置された前記記憶デバイスに記憶されている場所のリストとを含む、請求項６に記載のコンピュータ化されたクライアント装置。
【請求項８】
前記１つ又は複数のコンテンツの塊は、前記１つ又は複数のメタデータ要素に少なくとも部分的に基づいて場所の前記リストのサブセットから取り出される、請求項７に記載のコンピュータ化されたクライアント装置。
【請求項９】
前記１つ又は複数のメタデータ要素は、（ｉ）解像度と（ｉｉ）コーデックの種類とのうちの少なくとも１つに関するデータを含む、請求項８に記載のコンピュータ化されたクライアント装置。
【請求項１０】
前記ローカル・ストリーム・マニフェストは、１つ又は複数の第１の広告の塊が挿入される広告挿入タイムスタンプの少なくとも１つの表示を含む、請求項６に記載のコンピュータ化されたクライアント装置。
【請求項１１】
前記少なくとも１つのコンピュータ・プログラムは、前記デジタル・プロセッサ装置上で実行されると、
動的に決定される評価に少なくとも部分的に基づいて、前記広告挿入タイムスタンプにおける前記１つ又は複数の第１の広告の塊を差し替える
ようさらに構成された、請求項１０に記載のコンピュータ化されたクライアント装置。
【請求項１２】
前記少なくとも１つのコンピュータ・プログラムは、前記デジタル・プロセッサ装置上で実行されると、
前記１つ又は複数のユーザ選好に少なくとも部分的に基づいて、１つ又は複数の第２の広告の塊を選択する
ようさらに構成された、請求項１１に記載のコンピュータ化されたクライアント装置。
【請求項１３】
前記少なくとも１つのコンピュータ・プログラムは、前記デジタル・プロセッサ装置上で実行されると、
前記１つ又は複数の第２の広告の塊が再生されたときを前記サービス・プロバイダ・ネットワークのエンティティに報告する
ようさらに構成された、請求項１０に記載のコンピュータ化されたクライアント装置。
【請求項１４】
前記少なくとも１つのコンピュータ・プログラムは、前記デジタル・プロセッサ装置上で実行されると、
前記デジタル・メディア・ストリームの１つ又は複数の部分を、ネットワーク・トラフィック、帯域幅の制約、及びコンテンツの種類のうちの少なくとも１つを含む１つ又は複数のパラメータに基づいて、優先順位付けする
ようさらに構成された、請求項６に記載のコンピュータ化されたクライアント装置。
【請求項１５】
コンピュータ化されたクライアント装置上でローカル・ストリーム・マニフェストからデジタル・メディア・ストリームを再生する、コンピュータ化された方法であって、
複数のコンテンツの塊を含む、ライブにデジタル的にレンダリングされたメディア・コンテンツであって、前記複数のコンテンツの塊のみの利用が、前記ライブにデジタル的にレンダリングされたメディア・コンテンツを第１の解像度でレンダリングするよう構成されているメディア・コンテンツを配信するよう構成されたネットワーク・ストリーム・マニフェストにしたがってサービス・プロバイダ・ネットワークから前記複数のコンテンツの塊をダウンロードすることと、
前記ネットワーク・ストリーム・マニフェストに少なくとも部分的に基づいてローカル・ストリーム・マニフェストを生成することと、
前記複数のコンテンツの塊のそれぞれをコンピュータ化されたクライアント装置上にある記憶デバイスに記憶することと、
前記複数のコンテンツの塊とともに利用すると第２の解像度での表示が可能になるように構成された追加のコンテンツの塊が位置付けられているかもしれない１つ又は複数の場所に関する情報のために、前記ネットワーク・ストリーム・マニフェストを評価することと、
前記追加のコンテンツの塊を取得することと、
前記追加のコンテンツの塊及び前記複数のコンテンツの塊の両方の利用を介して、前記ライブにデジタル的にレンダリングされたメディア・コンテンツを前記第２の解像度でディスプレイ装置上にレンダリングすることと、
を含む、コンピュータ化された方法。
【請求項１６】
前記コンピュータ化されたクライアント装置に、前記コンピュータ化されたクライアント装置に関連付けられた加入者が、前記複数のコンテンツの塊をダウンロードする権限が与えられていることを検証させることをさらに含む、請求項１５に記載のコンピュータ化された方法。
【請求項１７】
コンピュータ化されたクライアント装置上でローカル・ストリーム・マニフェストからデジタル・メディア・コンテンツ・ストリームを再生する、コンピュータ化された方法であって、
ローカル・ストリーム・マニフェストを取り出すことと、
前記コンピュータ化されたクライアント装置の１つ又は複数の機能と互換性のない、少なくとも１つのコンテンツの塊を識別することと、
前記識別に少なくとも部分的に基づいて、前記ローカル・ストリーム・マニフェストにしたがって、前記コンピュータ化されたクライアント装置に配置されたローカル・メモリから１つ又は複数のコンテンツの塊を取り出すことと、
取り出された前記１つ又は複数のコンテンツの塊に少なくとも部分的に基づいて、デジタル・メディア・コンテンツ・ストリームを再構築することであって、前記コンピュータ化されたクライアント装置の前記１つ又は複数の機能と互換性のない、前記少なくとも１つのコンテンツの塊を省略することを含む、再構築することと、
少なくとも１つの追加のコンテンツの塊であって、取り出された前記１つ又は複数のコンテンツの塊を、前記コンピュータ化されたクライアント装置が、前記コンピュータ化されたクライアント装置の前記１つ又は複数の機能にしたがって前記デジタル・メディア・コンテンツ・ストリームをレンダリングすることが可能になるように増補する、少なくとも１つの追加のコンテンツの塊を受信することと、
前記デジタル・メディア・コンテンツ・ストリームを前記コンピュータ化されたクライアント装置において表示することと、
を含む、コンピュータ化された方法。
【請求項１８】
前記１つ又は複数のコンテンツの塊を、前記デジタル・メディア・コンテンツ・ストリームに関連付けられたコンテンツの塊のサブセットから、少なくとも１つの解像度とコーデックの種類とを識別するよう構成されたメタデータに少なくとも部分的に基づいて選択することをさらに含む、請求項１７に記載のコンピュータ化された方法。